(57)【要約】      （修正有）【課題】使用済み包装容器に粉粒体を充填した後、粉粒体が残っている詰め替え容器の注ぎ口を容易に閉塞できるなどの特性を有する詰め替え容器を提供する。【解決手段】内部に粉粒体Ａの収納部２を形成するようプラスチック製シートの必要部をシール４するとともに所定の位置に粉粒体排出口３を突設し、そして外面の所定の位置に、必要事項が印刷された粘着／剥離可能なラベル５が貼着された詰め替え容器１において、ラベル５は切断線６を設けて切断線６に沿って切断することにより第１ラベル部分５−１と第２ラベル部分５−２とに分割でき、収納部２に収納された粉粒体Ａの必要量を粉粒体排出口３を開口して他の容器９に充填した後、第１ラベル部分５−１を剥離して粉粒体排出口３の閉塞のために使用し、そして第２ラベル部分５−２を剥離し、必要事項を記入して他の容器９の外面の所定の位置に貼着して使用できるようにする。【選択図】図１
2006044798.tif 000002
【特許請求の範囲】
【請求項１】
内部に粉粒体の収納部を形成するようプラスチック製シートの必要部をシールするとともに所定の位置に粉粒体排出口を突設し、そして外面の所定の位置に、必要事項が印刷された粘着／剥離可能なラベルが貼着された詰め替え容器において、
前記ラベルは切断線を設けて前記切断線に沿って切断することにより第１ラベル部分と第２ラベル部分とに分割でき、前記収納部に収納された粉粒体の必要量を前記粉粒体排出口を開口して他の容器に充填した後、前記第１ラベル部分を剥離して前記粉粒体排出口の閉塞のために使用し、そして前記第２ラベル部分を剥離し、必要事項を記入して前記他の容器の外面の所定の位置に貼着して使用できるようにしたことを特徴とする詰め替え容器。
【請求項２】
前記ラベルの第１ラベル部分と第２ラベル部分との間に容易に剥離できない接着帯を設け、そして前記接着帯の外縁に２つの切断線を設け、前記切断線に沿って切断することにより第１ラベル部分と第２ラベル部分とに分割するようにしたことを特徴とする請求項１記載の詰め替え容器。
【請求項３】
前記第２ラベル部分がさらに２つ以上の部分に切断線に沿って切断することにより分割できるようにしたことを特徴とする請求項１あるいは請求項２記載の詰め替え容器。
【請求項４】
内部に粉粒体の収納部を形成するようプラスチック製シートの必要部をシールするとともに所定の位置に粉粒体排出口を突設し、そして外面の所定の位置に、必要事項が印刷された粘着／剥離可能なラベルが貼着された詰め替え容器において、
前記ラベルは予め切断されて形成された分割線に沿って剥離することにより第１ラベル部分と第２ラベル部分とに分割でき、前記収納部に収納された粉粒体の必要量を前記粉粒体排出口を開口して他の容器に充填した後、前記第１ラベル部分を剥離して前記粉粒体排出口の閉塞のために使用し、そして前記第２ラベル部分を剥離し、必要事項を記入して前記他の容器の外面の所定の位置に貼着して使用できるようにしたことを特徴とする詰め替え容器。
【請求項５】
前記ラベルの第１ラベル部分と第２ラベル部分との間に容易に剥離できない接着帯を設け、そして前記接着帯の外縁に２つの前記分割線を設け、前記分割線に沿って剥離することにより第１ラベル部分と第２ラベル部分とに分割するようにしたことを特徴とする請求項４記載の詰め替え容器。
【請求項６】
前記第２ラベル部分がさらに２つ以上の部分に前記分割線に沿って剥離することにより分割できるようにしたことを特徴とする請求項４あるいは請求項５記載の詰め替え容器。
【請求項７】
内部に粉粒体の収納部を形成するようプラスチック製シートの必要部をシールするとともに所定の位置に粉粒体排出口を突設し、そして外面の所定の位置に、必要事項が印刷された粘着／剥離可能なラベルが貼着された詰め替え容器において、
前記ラベルは予め切断されて相互に離して配置された第１ラベル部分と第２ラベル部分とからなり、前記収納部に収納された粉粒体の必要量を前記粉粒体排出口を開口して他の容器に充填した後、前記第１ラベル部分を剥離して前記粉粒体排出口の閉塞のために使用し、そして前記第２ラベル部分を剥離し、必要事項を記入して前記他の容器の外面の所定の位置に貼着して使用できるようにしたことを特徴とする詰め替え容器。
【請求項８】
前記ラベルの第１ラベル部分と第２ラベル部分との間に容易に剥離できない接着帯を相互に離して設け、第１ラベル部分と第２ラベル部分とを別々に剥離できるようにしたことを特徴とする請求項７記載の詰め替え容器。
【請求項９】
前記第２ラベル部分がさらに２つ以上相互に離して設けられていることを特徴とする請求項７あるいは請求項８記載の詰め替え容器。
【請求項１０】
前記ラベルが貼着された部分に対応するプラスチック製シートの部分を透明に形成し、この透明部分以外の部分を不透明に形成して、前記ラベルを剥離すると前記収納部に収納された粉粒体を外部から見ることができるようにしたことを特徴とする請求項１から請求項９のいずれかに記載の詰め替え容器。
【発明の詳細な説明】
【技術分野】
【０００１】
本発明は詰め替え容器に関するものであり、更に詳述すると、食品、医薬品、漢方薬品、化粧品、飼料、肥料などの粉粒体の詰め替え容器に関するものである。
【背景技術】
【０００２】
従来、液体などの包装容器としては、ガラス製やプラスチック製ボトルなどが使用されてきたが、使用後に廃棄物問題などがあるので、使用済み包装容器に再び内容物を充填して再使用することが行われている。そのための詰め替え容器として内部に内容物の収納部を形成するようプラスチック製シートの周辺部をシールし、かつ周辺部の所定の位置に注ぎ口を設けた詰め替え容器が多く提案されている（例えば、特許文献１〜３参照）。
【特許文献１】特開平９−３２８１４５号公報
【特許文献２】特開平１１−７９１９５号公報
【特許文献３】特開２００３−１１９９３号公報
【発明の開示】
【発明が解決しようとする課題】
【０００３】
しかし、従来の詰め替え容器は、使用済み包装容器に内容物を充填した後、内容物が未だ残っている詰め替え容器の注ぎ口を容易に閉塞できない、内容物を充填した使用済み包装容器に賞味期限や内容物充填日などを記載してその後の管理をやり易くできない、内容物が未だ残っている詰め替え容器の内容物を外から容易に見ることができないという問題があった。
【０００４】
本発明の目的は、詰め替え容器から使用済み包装容器に粉粒体を充填した後、粉粒体が未だ残っている詰め替え容器の排出口を容易に閉塞でき、また粉粒体を充填した使用済み包装容器に賞味期限、使用期限や粉粒体充填日または開封日などの必要事項を容易に記載することができ、その後の確実な管理をやり易くできる上、必要に応じて粉粒体が未だ残っている詰め替え容器中の粉粒体を外から見ることができるようにした詰め替え容器を提供することである。
【課題を解決するための手段】
【０００５】
上記課題を解消するための本発明の請求項１に記載の詰め替え容器は、内部に粉粒体の収納部を形成するようプラスチック製シートの必要部をシールするとともに所定の位置に粉粒体排出口を突設し、そして外面の所定の位置に、必要事項が印刷された粘着／剥離可能なラベルが貼着された詰め替え容器において、
前記ラベルは切断線を設けて前記切断線に沿って切断することにより第１ラベル部分と第２ラベル部分とに分割でき、前記収納部に収納された粉粒体の必要量を前記粉粒体排出口を開口して他の容器に充填した後、前記第１ラベル部分を剥離して前記粉粒体排出口の閉塞のために使用し、そして前記第２ラベル部分を剥離し、必要事項を記入して前記他の容器の外面の所定の位置に貼着して使用できるようにしたことを特徴とする。
【０００６】
本発明の請求項２に記載の詰め替え容器は、請求項１記載の詰め替え容器において、前記ラベルの第１ラベル部分と第２ラベル部分との間に容易に剥離できない接着帯を設け、そして前記接着帯の外縁に２つの切断線を設け、前記切断線に沿って切断することにより第１ラベル部分と第２ラベル部分とに分割するようにしたことを特徴とする。
【０００７】
本発明の請求項３に記載の詰め替え容器は、請求項１あるいは請求項２記載の詰め替え容器において、前記第２ラベル部分がさらに２つ以上の部分に切断線に沿って切断することにより分割できるようにしたことを特徴とする。
【０００８】
本発明の請求項４に記載の詰め替え容器は、内部に粉粒体の収納部を形成するようプラスチック製シートの必要部をシールするとともに所定の位置に粉粒体排出口を突設し、そして外面の所定の位置に、必要事項が印刷された粘着／剥離可能なラベルが貼着された詰め替え容器において、
前記ラベルは予め切断されて形成された分割線に沿って剥離することにより第１ラベル部分と第２ラベル部分とに分割でき、前記収納部に収納された粉粒体の必要量を前記粉粒体排出口を開口して他の容器に充填した後、前記第１ラベル部分を剥離して前記粉粒体排出口の閉塞のために使用し、そして前記第２ラベル部分を剥離し、必要事項を記入して前記他の容器の外面の所定の位置に貼着して使用できるようにしたことを特徴とする。
【０００９】
本発明の請求項５に記載の詰め替え容器は、請求項４記載の詰め替え容器において、前記ラベルの第１ラベル部分と第２ラベル部分との間に容易に剥離できない接着帯を設け、そして前記接着帯の外縁に２つの前記分割線を設け、前記分割線に沿って剥離することにより第１ラベル部分と第２ラベル部分とに分割するようにしたことを特徴とする。
【００１０】
本発明の請求項６に記載の詰め替え容器は、請求項４あるいは請求項５記載の詰め替え容器において、前記第２ラベル部分がさらに２つ以上の部分に前記分割線に沿って剥離することにより分割できるようにしたことを特徴とする。
【００１１】
本発明の請求項７に記載の詰め替え容器は、内部に粉粒体の収納部を形成するようプラスチック製シートの必要部をシールするとともに所定の位置に粉粒体排出口を突設し、そして外面の所定の位置に、必要事項が印刷された粘着／剥離可能なラベルが貼着された詰め替え容器において、
前記ラベルは予め切断されて相互に離して配置された第１ラベル部分と第２ラベル部分とからなり、前記収納部に収納された粉粒体の必要量を前記粉粒体排出口を開口して他の容器に充填した後、前記第１ラベル部分を剥離して前記粉粒体排出口の閉塞のために使用し、そして前記第２ラベル部分を剥離し、必要事項を記入して前記他の容器の外面の所定の位置に貼着して使用できるようにしたことを特徴とする。
【００１２】
本発明の請求項８に記載の詰め替え容器は、請求項７記載の詰め替え容器において、前記ラベルの第１ラベル部分と第２ラベル部分との間に容易に剥離できない接着帯を相互に離して設け、第１ラベル部分と第２ラベル部分とを別々に剥離できるようにしたことを特徴とする。
【００１３】
本発明の請求項９に記載の詰め替え容器は、請求項７あるいは請求項８記載の詰め替え容器において、前記第２ラベル部分がさらに２つ以上相互に離して設けられていることを特徴とする。
【００１４】
本発明の請求項１０に記載の詰め替え容器は、請求項１から請求項９のいずれかに記載の詰め替え容器において、前記ラベルが貼着された部分に対応するプラスチック製シートの部分を透明に形成し、この透明部分以外の部分を不透明に形成して、前記ラベルを剥離すると前記収納部に収納された粉粒体を外部から見ることができるようにしたことを特徴とする。
【発明の効果】
【００１５】
本発明の請求項１に記載の詰め替え容器は、内部に粉粒体の収納部を形成するようプラスチック製シートの必要部をシールするとともに所定の位置に粉粒体排出口を突設し、そして外面の所定の位置に、必要事項が印刷された粘着／剥離可能なラベルが貼着された詰め替え容器において、
前記ラベルは切断線を設けて前記切断線に沿って切断することにより第１ラベル部分と第２ラベル部分とに分割でき、前記収納部に収納された粉粒体の必要量を前記粉粒体排出口を開口して他の容器に充填した後、前記第１ラベル部分を剥離して前記粉粒体排出口の閉塞のために使用し、そして前記第２ラベル部分を剥離し、必要事項を記入して前記他の容器の外面の所定の位置に貼着して使用できるようにしたので、
使用済みの他の容器に粉粒体を充填した後、前記第１ラベル部分を剥離して用いて粉粒体が未だ残っている詰め替え容器の注ぎ口を容易に閉塞でき、また剥離した前記第２ラベル部分を用いて粉粒体を充填した使用済みの他の容器に賞味期限、使用期限や粉粒体充填日または開封日などの必要事項を容易に記載することができ、その後の確実な管理をやり易くできる、という顕著な効果を奏する。
【００１６】
本発明の請求項２に記載の詰め替え容器は、請求項１記載の詰め替え容器において、前記ラベルの第１ラベル部分と第２ラベル部分との間に容易に剥離できない接着帯を設け、そして前記接着帯の外縁に２つの切断線を設け、前記切断線に沿って切断することにより第１ラベル部分と第２ラベル部分とに分割するようにしたので、意識的あるいは無意識的に前記ラベルが剥離されるようなことがあっても、前記接着帯は容易には剥離されずに詰め替え容器外面に残るので、何らかの被害があったことが想定できる、というさらなる顕著な効果を奏する。
【００１７】
本発明の請求項３に記載の詰め替え容器は、請求項１あるいは請求項２記載の詰め替え容器において、前記第２ラベル部分がさらに２つ以上の部分に切断線に沿って切断することにより分割できるようにしたので、
使用済みの２つ以上の他の容器に粉粒体を同時にあるいは時間経過後に充填した後、前記第１ラベル部分を剥離して粉粒体が未だ残っている詰め替え容器の注ぎ口を閉塞し、また、粉粒体を充填した使用済みの２つ以上の他の容器に前記第２ラベル部分をそれぞれ貼着して賞味期限、使用期限や粉粒体充填日または開封日などの必要事項を記載することができ、その後の確実な管理をやり易くできる、というさらなる顕著な効果を奏する。
【００１８】
本発明の請求項４に記載の詰め替え容器は、内部に粉粒体の収納部を形成するようプラスチック製シートの必要部をシールするとともに所定の位置に粉粒体排出口を突設し、そして外面の所定の位置に、必要事項が印刷された粘着／剥離可能なラベルが貼着された詰め替え容器において、
前記ラベルは予め切断されて形成された分割線に沿って剥離することにより第１ラベル部分と第２ラベル部分とに分割でき、前記収納部に収納された粉粒体の必要量を前記粉粒体排出口を開口して他の容器に充填した後、前記第１ラベル部分を剥離して前記粉粒体排出口の閉塞のために使用し、そして前記第２ラベル部分を剥離し、必要事項を記入して前記他の容器の外面の所定の位置に貼着して使用できるようにしたので、
予め切断されて形成された前記分割線に沿って第１ラベル部分と第２ラベル部分とに容易に剥離して分割でき、
使用済みの他の容器に粉粒体を充填した後、剥離した前記第１ラベル部分を用いて粉粒体が未だ残っている詰め替え容器の注ぎ口を容易に閉塞でき、また剥離した前記第２ラベル部分を用いて粉粒体を充填した使用済みの他の容器に賞味期限、使用期限や粉粒体充填日または開封日などの必要事項を容易に記載することができ、その後の確実な管理をやり易くできる、という顕著な効果を奏する。
【００１９】
本発明の請求項５に記載の詰め替え容器は、請求項４記載の詰め替え容器において、前記ラベルの第１ラベル部分と第２ラベル部分との間に容易に剥離できない接着帯を設け、そして前記接着帯の外縁に２つの前記分割線を設け、前記分割線に沿って剥離することにより第１ラベル部分と第２ラベル部分とに分割するようにしたので、
前記接着帯を剥離せずに予め切断されて形成された前記分割線に沿って第１ラベル部分と第２ラベル部分とに容易に剥離して分割でき、
意識的あるいは無意識的に前記ラベルが剥離されるようなことがあっても、前記接着帯は容易には剥離されずに詰め替え容器外面に残るので、何らかの被害があったことが想定できる、というさらなる顕著な効果を奏する。
【００２０】
本発明の請求項６に記載の詰め替え容器は、請求項４あるいは請求項５記載の詰め替え容器において、前記第２ラベル部分がさらに２つ以上の部分に前記分割線に沿って剥離することにより分割できるようにしたので、
予め切断されて形成された前記分割線に沿ってそれぞれの第２ラベル部分を容易に剥離して分割でき、
使用済みの２つ以上の他の容器に粉粒体を同時にあるいは時間経過後に充填した後、前記第１ラベル部分を剥離して粉粒体が未だ残っている詰め替え容器の注ぎ口を閉塞し、また粉粒体を充填した使用済みの２つ以上の他の容器に前記第２ラベル部分をそれぞれ貼着して賞味期限、使用期限や粉粒体充填日または開封日などの必要事項を記載することができ、その後の確実な管理をやり易くできる、というさらなる顕著な効果を奏する。
【００２１】
本発明の請求項７に記載の詰め替え容器は、内部に粉粒体の収納部を形成するようプラスチック製シートの必要部をシールするとともに所定の位置に粉粒体排出口を突設し、そして外面の所定の位置に、必要事項が印刷された粘着／剥離可能なラベルが貼着された詰め替え容器において、
前記ラベルは予め切断されて相互に離して配置された第１ラベル部分と第２ラベル部分とからなり、前記収納部に収納された粉粒体の必要量を前記粉粒体排出口を開口して他の容器に充填した後、前記第１ラベル部分を剥離して前記粉粒体排出口の閉塞のために使用し、そして前記第２ラベル部分を剥離し、必要事項を記入して前記他の容器の外面の所定の位置に貼着して使用できるようにしたので、
第１ラベル部分と第２ラベル部分とに容易に剥離でき、
使用済みの他の容器に粉粒体を充填した後、剥離した前記第１ラベル部分を用いて粉粒体が未だ残っている詰め替え容器の注ぎ口を容易に閉塞でき、また剥離した前記第２ラベル部分を用いて粉粒体を充填した使用済みの他の容器に賞味期限、使用期限や粉粒体充填日または開封日などの必要事項を容易に記載することができ、その後の確実な管理をやり易くできる、という顕著な効果を奏する。
【００２２】
本発明の請求項８に記載の詰め替え容器は、請求項７記載の詰め替え容器において、前記ラベルの第１ラベル部分と第２ラベル部分との間に容易に剥離できない接着帯を相互に離して設け、第１ラベル部分と第２ラベル部分とを別々に剥離できるようにしたので、
前記接着帯を剥離せずに第１ラベル部分と第２ラベル部分とに容易に剥離でき、意識的あるいは無意識的に前記ラベルが剥離されるようなことがあっても、前記接着帯は容易には剥離されずに詰め替え容器外面に残るので、何らかの被害があったことが想定できる、というさらなる顕著な効果を奏する。
【００２３】
本発明の請求項９に記載の詰め替え容器は、請求項７あるいは請求項８記載の詰め替え容器において、前記第２ラベル部分がさらに２つ以上相互に離して設けられているので、
それぞれの第２ラベル部分を容易に剥離でき、
使用済みの２つ以上の他の容器に粉粒体を同時にあるいは時間経過後に充填した後、前記第１ラベル部分を剥離して粉粒体が未だ残っている詰め替え容器の注ぎ口を閉塞し、また、粉粒体を充填した使用済みの２つ以上の他の容器に前記第２ラベル部分をそれぞれ貼着して賞味期限、使用期限や粉粒体充填日または開封日などの必要事項を記載することができ、その後の確実な管理をやり易くできる、というさらなる顕著な効果を奏する。
【００２４】
本発明の請求項１０に記載の詰め替え容器は、請求項１から請求項９のいずれかに記載の詰め替え容器において、前記ラベルが貼着された部分に対応するプラスチック製シートの部分を透明に形成し、この透明部分以外の部分を不透明に形成して、前記ラベルを剥離すると前記収納部に収納された粉粒体を外部から見ることができるようにしたので、収納されている粉粒体の量の確認や変色などの品質の確認などがやり易くなる、というさらなる顕著な効果を奏する。
【発明を実施するための最良の形態】
【００２５】
次に本発明を図を用いて実施の形態に基づいて詳細に説明する。
［第１の実施態様］
図１は、本発明の詰め替え容器の１例を説明する説明図である。
図２（イ）、（ロ）は、図１に示した詰め替え容器の粉粒体排出口を開口して他の容器に充填した後、第１ラベル部分を剥離して粉粒体排出口の閉塞のために使用した例を示す説明図である。
図３（イ）、（ロ）、（ハ）は、図１に示した詰め替え容器の粉粒体排出口を開口して他の容器に充填した後、第２ラベル部分を剥離し、必要事項を記入して他の容器の外面の所定の位置に貼着して使用した例を示す説明図である。
【００２６】
図１、２に示したように、１はプラスチック製シートの必要部をシールして形成された詰め替え容器であり、内部に粉粒体Ａの収納部２が形成され、上部の端部の位置に粉粒体排出口３が突設された状態でヒートシール部４が形成されており、そして、詰め替え容器１の外面の所定の位置に、商品名、注意事項、保存方法、賞味期限、開封日など必要事項が印刷された粘着／剥離可能なラベル５が貼着されている。２０は切り取り部である。
ラベル５にはミシン目などの切断線６を設けてあり、切断線６に沿って切断することにより第１ラベル部分５−１と第２ラベル部分５−２とに分割して剥離できる。剥離した第１ラベル部分５−１と第２ラベル部分５−２は再度接着させたり、貼着できるように構成されている。
【００２７】
すなわちラベル５の裏面には、第１ラベル部分５−１の一端部７−１および第２ラベル部分５−２の一端部７−２を除いて後述する粘着層１３が形成されており、この粘着層１３が適度の粘着性、接着性を有するとともに、剥離性を有するので、指などで端部７−１を掴んで引っ張ると第１ラベル部分５−１を切断線６で分離して容易に剥離でき、また端部７−２を掴んで引っ張ると残りの第２ラベル部分５−２を容易に剥離でき、剥離した第１ラベル部分５−１と第２ラベル部分５−２は粘着層１３を介して詰め替え容器１や後述する他の容器９の表面に繰り返して接着させたり、貼着することができる。
【００２８】
粉粒体排出口３の所定の位置にノッチ部８が形成されており、ノッチ部８を起点として粉粒体排出口３の上部を横方向に切断することにより粉粒体排出口３を開口することができる。粉粒体排出口３の上部を容易に切断できるようにするためには、プラスチック製シート自体を切断方向に沿って切断し易くなるように分子配向させたり、前記のようなミシン目などの切断線を設けてもよく、公知の方法を使用できる。１０は、上部のヒートシール部４に貫通して設けられた孔であり、図示しない販売用棚などに固定して設けられた金属製棒に孔１０を通して詰め替え容器１を展示・販売するなどのために使用される。
【００２９】
粉粒体排出口３を開口した後、詰め替え容器１の底部やヒートシール部４などを持って、図３（イ）に例示した使用済みの他の容器９のキャップ１１を取り外して開口部を出して、この開口部に粉粒体排出口３を近ずけ、粉粒体排出口３を経て他の容器９に粉粒体Ａを充填する。
他の容器９に粉粒体Ａを充填する他の方法としては、粉粒体排出口３を開口した後、詰め替え容器１の底部やヒートシール部４などを持って、図３（ロ）に例示した使用済みの他の容器９のキャップ１１を取り外して開口部を出して、この開口部に粉粒体排出口３を挿入し、粉粒体排出口３を経て他の容器９に粉粒体Ａを充填する方法である。他の容器９の開口部に挿入できるように細目に粉粒体排出口３を形成しておき、他の容器９の開口部にこの粉粒体排出口３を挿入て、粉粒体排出口３を経て他の容器９に粉粒体Ａを充填する方が粉粒体Ａをこぼしたりせず、容易に充填できるので好ましい。
【００３０】
詰め替え容器１のヒートシール部４の収納部２側の端部４−１は粉粒体排出口３に向かって上方に傾斜して形成されている。このようにヒートシール部４の端部４−１を粉粒体排出口３に向かって上方に傾斜して形成すると、図３（イ）、（ロ）に示すように、粉粒体排出口３を開口し、詰め替え容器１の底部やヒートシール部４などを持って、粉粒体排出口３を経て他の容器９に粉粒体Ａを充填する際、収納部２に粉粒体Ａが淀んで排出されない箇所がないため、粉粒体Ａを収納部２から粉粒体排出口３を経てスムースに排出し易く、容易に他の容器９に充填することができる効果がある。
【００３１】
他の容器９に粉粒体Ａを充填した後、詰め替え容器１から第１ラベル部分５−１を剥離して、剥離した第１ラベル部分５−１を用いて粉粒体排出口３の閉塞を行う。
図２（ロ）に示したように他の容器９に粉粒体Ａを充填した後の詰め替え容器１を丸めた後、剥離した第１ラベル部分５−１を用いて粉粒体排出口３の閉塞を行うこともできる。勿論、剥離した第１ラベル部分５−１を使用して粉粒体排出口３の閉塞を行う方法はこれらの例に限定されるものではない。
【００３２】
また、他の容器９に粉粒体Ａを充填した後、詰め替え容器１から第２ラベル部分５−２を剥離して、図３（ハ）に例示したように剥離した第２ラベル部分５−２に必要事項（例えば、賞味期限、開封日など）を記入して他の容器９の外面の所定の位置に貼着して使用する。
上記の説明では第１ラベル部分５−１と第２ラベル部分５−２を順次剥離する例を示したが、第１ラベル部分５−１と第２ラベル部分５−２を同時に剥離することもでき、剥離する順序やタイミングは特に限定されるものではない。
【００３３】
図１〜３に示したように詰め替え容器１には、その上部の端部の位置に突設された粉粒体排出口３とヒートシール部４との間に切り取り部２０が形成されている。この切り取り部２０のノッチ部８が形成された側は詰め替え容器１の側部１−１にほぼ平行に形成されており、その反対側は粉粒体排出口３から離れるように上方に傾斜して形成されている。このように切り取り部２０のノッチ部８が形成された側が詰め替え容器１の側部１−１にほぼ平行に形成されていると、ノッチ部８を起点として粉粒体排出口３の上部を横方向に切断し易く、容易に粉粒体排出口３を開口できるので好ましい。
【００３４】
しかし、切り取り部２０の形状はこの形状に限定されるものではない。切り取り部２０の形状の具体例としては、例えば、Ｖ字型、Ｕ字型、三角形型、正方形型、長方形型、丸型、楕円型、スリット型などを挙げることができる。
これらの各形状の切り取り部２０の寸法は特に限定されるものではない。
切り取り部２０の形状および寸法は、詰め替え容器１や粉粒体排出口３の大きさ、他の容器９の開口部の大きさや形状、収納する粉粒体の種類や粒度などに応じて最適のものを決めることが好ましい。
【００３５】
図２（イ）に例示したように、詰め替え容器１のラベル５が貼着された部分に対応するプラスチック製シートの部分は透明に形成してあり、この透明部分以外のプラスチック製シートの部分は不透明になっているので、ラベル５を剥離すると収納部２に収納された粉粒体Ａを外部から見ることができる。このようにすれば、粉粒体Ａの残留量の確認や粉粒体Ａの変色が起きていないかなど品質の確認などを行い易くなる。
【００３６】
［第２の実施態様］
図４（イ）は、本発明の詰め替え容器の他の例を説明する説明図である。
図４（イ）に例示したように、本発明の他の詰め替え容器１Ａは、第１ラベル部分５−１と第２ラベル部分５−２との間に容易に剥離できない接着帯５−３を設け、そして接着帯５−３の外縁に２つの切断線６−１および６−２を設けたラベル５Ａを用いた以外は図１に示した本発明の詰め替え容器１と同様になっている。
ラベル５Ａを切断線６−１および６−２に沿って切断することにより第１ラベル部分６−１と第２ラベル部分６−２とに２分して詰め替え容器１Ａから剥離できるが、接着帯５−３は容易には剥離されず詰め替え容器１Ａの外面に残るようになっている。
【００３７】
すなわちラベル５Ａの裏面には、第１ラベル部分５−１の一端部７−１および第２ラベル部分５−２の一端部７−２を除いて後述する粘着層１３が形成されており、この粘着層１３が適度の粘着性、接着性を有するとともに、剥離性を有するので、指などで端部７−１を掴んで引っ張ると第１ラベル部分５−１を切断線６で分離して容易に剥離でき、また端部７−２を掴んで引っ張ると残りの第２ラベル部分５−２を容易に剥離でき、剥離した第１ラベル部分５−１と第２ラベル部分５−２は粘着層１３を介して詰め替え容器１や前記他の容器９の表面に繰り返して接着させたり、貼着することができる。
そして、ラベル５Ａの接着帯５−３に対応する裏面には後述する強接着層１５が形成されているので、第１ラベル部分５−１と第２ラベル部分５−２を剥離する際などに剥離されず詰め替え容器１Ａの外面に残る。
意識的あるいは無意識的にラベル５Ａが剥離されるようなことがあっても、接着帯５−３が詰め替え容器１Ａの外面に残るので、それを発見することにより何らかの被害があったことが想定でき、対応策をとり易くなる。
【００３８】
［第３の実施態様］
図４（ロ）は、本発明の詰め替え容器に用いるラベルの他の例を説明する説明図である。
図４（ロ）に示した、本発明の詰め替え容器に用いる他のラベル５Ｆは、第２ラベル部分が切断線６−１、６−３に沿って切断することにより第２ラベル部分５−２および第２ラベル部分５−４に分割できるようにしてある以外は図１に示した本発明の詰め替え容器１のラベル５と同様になっている。
図示しない使用済みの２つの容器に、粉粒体を充填した後、第１ラベル部分５−１を剥離して粉粒体が未だ残っている詰め替え容器１の注ぎ口３を剥離した第１ラベル部分５−１を用いて閉塞し、一方、切断線６−１および６−３に沿って切断することにより、第２ラベル部分５−２および第２ラベル部分５−４を剥離し、粉粒体を充填した使用済みの前記２つの容器にこの第２ラベル部分５−２および第２ラベル部分５−４をそれぞれ貼着して、第２ラベル部分５−２および第２ラベル部分５−４に賞味期限、使用期限や粉粒体充填日または開封日などの必要事項を記載することができる。
図示しない使用済みの２つの容器は上記のように同時に第２ラベル部分５−２および第２ラベル部分５−４をそれぞれ貼着してもよいが、使用済みの１つの容器に第２ラベル部分５−２を貼着し、時間経過後もう１つの使用済みの容器がでてきた時に第２ラベル部分５−４を貼着してもよい。
【００３９】
［第４の実施態様］
図５（イ）、（ロ）、（ハ）、（ニ）は、本発明の詰め替え容器に用いるラベルの形状の他の例を説明する説明図である。
図５（イ）に示したラベル５Ｂは第１ラベル部分５−１と第２ラベル部分５−２がいずれも丸みを帯びた形状となっている以外は図１に示した本発明の詰め替え容器１に用いたラベル５と同様になっている。
図５（ロ）に示したラベル５Ｃは第１ラベル部分５−１と第２ラベル部分５−２がいずれも角ばった形状となっている以外は図１に示した本発明の詰め替え容器１に用いたラベル５と同様になっている。
図５（ハ）に示したラベル５Ｄは切断線６の両端部の第１ラベル部分５−１と第２ラベル部分５−２が共に内側に丸くカットされている以外は図１に示した本発明の詰め替え容器１に用いたラベル５と同様になっている。
図５（ニ）に示したラベル５Ｅは切断線６の両端部の第１ラベル部分５−１が内側に丸くカットされているとともに、第１ラベル部分５−１の上方の両端部が内側に丸くカットされている以外は図１に示した本発明の詰め替え容器１に用いたラベル５と同様になっている。
【００４０】
［第５の実施態様］
図８は、本発明の詰め替え容器の他の例を説明する説明図である。
図８に示した符号のもので、図１〜３に示した本発明の詰め替え容器１と同じ符号のものは同じものを示すので説明を省略する。
図８に示した本発明の詰め替え容器１Ｂは、使用したラベル５Ｇには予め切断された分割線３０が形成されており、分割線３０に沿って剥離することにより第１ラベル部分５−１と第２ラベル部分５−２とに容易に分割でき、剥離した第１ラベル部分５−１と第２ラベル部分５−２が再度接着させたり、貼着できるように構成されている以外は構成および作用効果ともに、図１〜３に示した本発明の詰め替え容器１と同様になっている。
【００４１】
［第６の実施態様］
図９（イ）は、本発明の詰め替え容器の他の例を説明する説明図である。
図９（イ）に示した符号のもので図４（イ）に示した本発明の詰め替え容器１Ａと同じ符号のものは同じものを示すので説明を省略する。
図９（イ）に例示したように、本発明の他の詰め替え容器１Ｃは、第１ラベル部分５−１と第２ラベル部分５−２との間に容易に剥離できない接着帯５−３を設け、そして接着帯５−３の外縁に２つの予め切断された分割線３０−１および３０−２を設けたラベル５Ｈを用いた以外は図４（イ）に示した本発明の詰め替え容器１Ａと同様になっている。
ラベル５Ｈを分割線３０−１および３０−２に沿って剥離することにより第１ラベル部分５−１と第２ラベル部分５−２とに２分して容易に詰め替え容器１Ｃから剥離できるが、接着帯５−３は容易には剥離されず詰め替え容器１Ｃの外面に残るようになっている以外は構成および作用効果ともに、図４（イ）に示した本発明の詰め替え容器１Ａと同様になっている。
【００４２】
［第７の実施態様］
図９（ロ）は、本発明の詰め替え容器に用いるラベルの他の例を説明する説明図である。
図９（ロ）に示した符号のもので図４（ロ）に示したラベル５Ｆと同じ符号のものは同じものを示すので説明を省略する。
図９（ロ）に示した、本発明の詰め替え容器に用いる他のラベル５Ｊは、第２ラベル部分が予め切断された分割線３０−１および３０−３に沿って第２ラベル部分５−２および第２ラベル部分５−４に剥離して分割できるようにしてある以外は図４（ロ）に示したラベル５Ｆと構成および作用効果ともに同様になっている。
【００４３】
［第８の実施態様］
図１０は、本発明の詰め替え容器の他の例を説明する説明図である。
図１０に示した符号のもので、図１〜３に示した本発明の詰め替え容器１と同じ符号のものは同じものを示すので説明を省略する。
図１０に示した本発明の詰め替え容器１Ｄは、使用したラベル５Ｋが、予め切断されて相互に離して配置された第１ラベル部分５−１と第２ラベル部分５−２とからなり、第１ラベル部分５−１と第２ラベル部分５−２とを別々に容易に剥離でき、剥離した第１ラベル部分５−１と第２ラベル部分５−２が再度接着させたり、貼着できるように構成されている以外は構成および作用効果ともに、図１〜３に示した本発明の詰め替え容器１と同様になっている。
【００４４】
図１０に示した本発明の詰め替え容器１Ｄは、第１ラベル部分５−１と第２ラベル部分５−２とが図に示したように相互に離して配置されているが、配置する箇所はこの例に限定されるものではない。本発明の詰め替え容器１Ｄの表面のみに、あるいは裏面のみに、あるいは表面と裏面の両方に、適宜の箇所に適宜距離離して配置できる。図１０に示した第１ラベル部分５−１と第２ラベル部分５−２との配置は、両者を同時に目視できる例であり、好ましい配置である。
【００４５】
［第９の実施態様］
図１１は、本発明の詰め替え容器の他の例を説明する説明図である。
図１１に示した符号のもので図４（イ）に示した本発明の詰め替え容器１Ａと同じ符号のものは同じものを示すので説明を省略する。
図１１に例示したように、本発明の他の詰め替え容器１Ｅは、第１ラベル部分５−１と第２ラベル部分５−２との間に相互に離して配置された容易に剥離できない接着帯５−３を設けたラベル５Ｌを用いた以外は図４（イ）に示した本発明の詰め替え容器１Ａと同様になっている。
第１ラベル部分５−１と第２ラベル部分５−２とを容易に詰め替え容器１Ｅから剥離できるが、接着帯５−３は容易には剥離されず詰め替え容器１Ｅの外面に残るようになっている以外は構成および作用効果ともに、図４（イ）に示した本発明の詰め替え容器１Ａと同様になっている。
【００４６】
図１１に示した本発明の詰め替え容器１Ｅは、第１ラベル部分５−１、接着帯５−３と第２ラベル部分５−２とが図に示したように相互に離して配置されているが、配置する箇所はこの例に限定されるものではない。
これら３者の少なくとも１つを本発明の詰め替え容器１Ｅの表面のみに、あるいは裏面のみに、あるいは表面と裏面の両方にわけて、適宜の箇所に適宜距離離して配置できる。図１１に示した第１ラベル部分５−１、接着帯５−３と第２ラベル部分５−２との配置は、３者を同時に目視できる例であり、好ましい配置である。
【００４７】
本発明の詰め替え容器１Ｅの変形の一例として、例えば第１ラベル部分５−１と接着帯５−３とを図示しない前記切断線あるいは分割線を介して隣接して配置する例を挙げることができる。指などで端部７−１を掴んで引っ張ると第１ラベル部分５−１を切断線あるいは分割線で分離して容易に剥離できるが、ラベル５Ｋの接着帯５−３は剥離されず詰め替え容器１Ｄの外面に残る。端部７−２を掴んで引っ張ると残りの第２ラベル部分５−２を容易に剥離できる。
【００４８】
本発明の詰め替え容器１Ｅの変形の他の例として、例えば第２ラベル部分５−２と接着帯５−３とを図示しない前記切断線あるいは分割線を介して隣接して配置する例を挙げることができる。指などで端部７−２を掴んで引っ張ると第２ラベル部分５−２を切断線あるいは分割線で分離して容易に剥離できるが、ラベル５Ｋの接着帯５−３は剥離されず詰め替え容器１Ｄの外面に残る。端部７−１を掴んで引っ張ると残りの第１ラベル部分５−１を容易に剥離できる。
【００４９】
本発明の詰め替え容器を構成するプラスチック製シートの構成は特に限定されるものではないが、２〜４層構造のものを例示することができる。
２層構造のものとしては、例えば外側層がナイロン（登録商標）などのポリアミドフィルム、内側層がポリエチレン、線状低密度ポリエチレン、ポリオレフィン系エラストマー、ポリプロピレンなどのポリオレフィンフィルムからなるものを挙げることができる。
【００５０】
３層構造のものとしては、例えば外側層がポリエチレンテレフタレートなどのポリエステルフィルム、中間層がアルミニウム箔、内側層がポリエチレン、線状低密度ポリエチレン、ポリオレフィン系エラストマー、ポリプロピレンなどのポリオレフィンフィルムからなるもの、外側層がポリエステルフィルム、中間層が金属化合物蒸着ポリエステルフィルム、内側層が低密度ポリエチレンフィルムからなるもの、外側層がポリエステルフィルム、中間層がアルミニウム蒸着ポリエステルフィルム、内側層が低密度ポリエチレンフィルムからなるもの、また外側層が２軸延伸ポリアミドフィルム、中間層が１軸延伸ポリオレフィンフィルム、内側層が線状低密度ポリエチレンフィルムからなるもの、また外側層が酸化アルミニウム蒸着ポリエチレンテレフタレートフィルム、中間層がポリアミドフィルム、内側層が線状低密度ポリエチレンフィルムからなるもの、また好ましい例として外側層が厚さ１５μｍのポリアミドフィルム、中間層が厚さ１２μｍのアルミニウム真空蒸着ポリエチレンテレフタレートフィルム、内側層が厚さ１２０μｍの線状低密度ポリエチレンフィルムからなるもの、を挙げることができる。
【００５１】
４層構造のものとしては、例えば外側層がポリエチレンテレフタレートフィルム、外側中間層がアルミニウム箔、内側中間層がポリアミドフィルム、内側層が線状低密度ポリエチレンフィルムからなるもの、を挙げることができる。
【００５２】
上記において、外側層を透明とし、中間層をアルミニウムまたはその他の無機化合物を真空蒸着法によって蒸着して無機化合物蒸着層を設けたバリア性フィルムとして、外観が銀色などを呈する詰め替え容器としたり、あるいは、同様に外側層を透明とし、中間層をアルミニウムまたはその他の無機化合物を真空蒸着法によって蒸着して無機化合物蒸着層を設けるが詰め替え容器の表面に貼着するラベルに対応する部分はアルミニウムまたはその他の無機化合物蒸着層を設けないようにしたバリア性フィルムとして、外観が銀色などを呈するが、前記のようにラベルを剥離するとその跡の透明部分を透して詰め替え容器の収納部に収納された粉粒体を外部から見ることができるようにした詰め替え容器とすることができる。
【００５３】
上記の２〜４層構造のものはいずれも各層間はドライラミネートで積層したものであるが、ホットラミネートなど従来公知または周知の技術による方法で積層しても差し支えない。
【００５４】
本発明の前記詰め替え容器１、１Ａ〜１Ｅは、外側層がポリエチレンテレフタレートフィルム、外側中間層がアルミニウム箔、内側中間層がポリアミドフィルム、内側層が線状低密度ポリエチレンフィルムからなる４層構造のプラスチック製シートからなり、柔軟で一方向の引き裂き性に優れており、ノッチ部８を起点として粉粒体排出口３の上部を横方向に容易に切断して粉粒体排出部３を開口することができる。
本発明の前記詰め替え容器１、１Ａ〜１Ｅは略矩形の２枚のプラスチック製シートの底縁部および左右両側縁部を三方ヒートシールすることにより、上端を開口縁とする袋状体とし、この開口縁から所定量の粉粒体を充填した後、上部をヒートシールすることにより密閉された収納部２を形成するものである。そして上部をヒートシールする際に粉粒体排出部３が突設されるようにシール部４を形成する。
【００５５】
この例では、２枚のプラスチック製シートの底縁部および左右両側縁部を三方ヒートシールすることにより、上端を開口縁とする袋状体としたが、袋状体とする方法はこれに限定されず、例えば、１枚のプラスチック製シートの左右両側縁部をヒートシールして筒状体とし、さらにこの筒状体の底縁部をヒートシールして上端を開口縁とする袋状体とすることができる。そして前記と同様にしてこの開口縁から所定量の粉粒体を充填した後、上部をヒートシールして密閉された収納部２を形成することができる。
本発明の詰め替え容器の形態は、ピロータイプでも、スタンデイングタイプなどであってもよい。
【００５６】
本発明で用いる粘着／剥離可能なラベルについて図面を用いて説明する。図６（イ）、（ロ）は、本発明で用いるラベルの層構成を示す断面説明図である。
図６（イ）に示すように、ラベル５は、基本的には、基材１２の裏面に粘着剤基材に対して剥離性を付与するために各種界面活性剤、各種シリコーンオイル、各種植物系オイル、各種鉱物系オイルなどから選ばれる添加剤を適当量配合した粘着剤組成物からなる粘着層１３が形成されている。前記のように、６はミシン目などの切断線、５−１はラベル５の第１ラベル部分、５−２はラベル５の第２ラベル部分を示し、１４は商品名など必要事項が印刷された印刷層を示す。
【００５７】
図６（ロ）に示すように、他のラベル５Ｇは、図６（イ）に示したラベル５の切断線６の替わりに、予め切断されて形成された分割線３０が設けられている以外は図６（イ）に示したラベル５と同様になっている。
【００５８】
本発明において用いる粘着剤基材は特に限定されるものではない。中でもエマルジョン型粘着剤基材や紫外線硬化型粘着剤は本発明において好ましく使用できる。
アクリル系粘着剤基材を例示すると、例えば、アクリル酸エステル、メタクリル酸エステル、ヒドロキシルエチルアクリレ−ト、ヒドロキシルエチルメタクリレ−ト等の（メタ）アクリル系モノマ−、アクリロニトリル、アクリルアミド、メタクリルアミド等のアミド系モノマ−、該アミド系モノマ−のＮ−アルコキシ置換体、同Ｎ−メチロ−ル置換体、スチレン、ビニルトルエン、α−メチルスチレン、ジビニルベンゼン等のスチレン系モノマ−、ジアリルフタレ−ト、アリルグリジジルエ−テル、トリアリルイソシアヌレ−ト等のアリル系モノマ−、酢酸ビニル、Ｎ−ビニルピロリドン等の重合性二重結合を有するモノマ−等の一種ないしそれ以上と、カルボキシル基を有するアクリル酸、メタクリル酸、マレイン酸、無水マレイン酸、フマ−ル酸、イタコン酸、その他等の不飽和カルボン酸の一種ないしそれ以上との共重合体などを挙げることができる。
上記のアクリル系粘着剤基材の内でも、２−エチルヘキシルアクリレート、ブチルアクリレート、エチルアクリレート、メタクリル酸メチル、アクリル酸、メタクリル酸、スチレン、酢酸ビニル、Ｎ−ビニルピロリドンなどの中の３〜４成分を共重合させたアクリル系粘着剤基材は好ましく使用できる。
本発明において用いるエマルジョン型粘着剤基材は、例えば上記アクリル系粘着剤基材の水性エマルジョンあるいはデイスパージョンの状態のものである。
粘着剤基材には、さらに必要に応じて、酸化防止剤、防かび剤、防腐剤、分散剤、ｐＨ調整剤、安定剤、可塑剤、消泡剤、その他の所望の添加剤を添加することができる。
【００５９】
次に、第１ラベル部分５−１と第２ラベル部分５−２との間に容易に剥離できない接着帯５−３を設け、そして、接着帯５−３の外縁に２つの切断線６−１および６−２を設けた本発明で用いる他のラベル５Ａおよび第１ラベル部分５−１と第２ラベル部分５−２との間に容易に剥離できない接着帯５−３を設け、そして、接着帯５−３の外縁に２つの予め切断されて形成された分割線３０−１および３０−２を設けた本発明で用いる他のラベル５Ｈについて図面を用いて説明する。
【００６０】
図７（イ）、（ロ）は、本発明で用いる他のラベルの層構成を示す断面説明図である。
図７（イ）に示すように、ラベル５Ａは、基材１２の第１ラベル部分５−１と第２ラベル部分５−２に対応する裏面に粘着／剥離可能な前記粘着層１３が形成されており、そして基材１２の接着帯５−３に対応する裏面には剥離性を付与するための前記添加剤を配合しない粘着剤基材を主体とする粘着剤組成物からなる強接着層１５が形成されている。前記のように、６−１、６−２はミシン目などの切断線、５−１はラベル５の第１ラベル部分、５−２はラベル５の第２ラベル部分、５−３はラベル５の接着帯を示し、１４は商品名など必要事項が印刷された印刷層を示す。
詰め替え容器の外面の所定の位置にラベル５Ａを貼着した後、第１ラベル部分５−１と第２ラベル部分５−２を剥離するのは前記のように容易にできるが、接着帯５−３に対応する裏面には強接着層１５が形成されているので、第１ラベル部分５−１と第２ラベル部分５−２を剥離する際などに剥離されず詰め替え容器の外面に残る。
【００６１】
図７（ロ）に示すように、他のラベル５Ｈは、図７（イ）に示したラベル５Ａの切断線６−１、６−２の替わりに、予め切断されて形成された分割線３０−１、３０−２が設けられている以外は図７（イ）に示したラベル５Ａと同様になっている。
【００６２】
本発明で用いる基材としては、通常の上質紙などの紙の他に、感熱紙、コート紙、ノーカーボン紙、合成紙、あるいはポリエチレン、透明性を有するポリエチレンテレフタレート、ポリプロピレン、塩化ビニルなどの合成フィルムを用いることもできる。
これらの合成フィルムを用いる場合には接着性、筆記性、印刷性などを改善するために基材の表面をマット処理、コロナ処理などの表面処理を施したり、筆記性や印刷性などをさらに改善するためにコート層を設けたり、合成フィルム自体に適量の多孔性微粒子を配合した合成フィルムを用いたりするのが好ましい。このようにすることにより、接着性や印刷適正が向上しラベルの表面に良好な印刷を施せるとともに、第２ラベル部分などの表面に粉粒体の排出日など必要な事項を鉛筆、ボールペン、マジックインクなどで容易に記入することができる。
【００６３】
粘着剤組成物は、コンマコーター、グラビアコーター、フレキソ、エアナイフコーター、ワイヤーバーコーター、リバースロールコーターなどの塗工手段により基材の裏面の所定部に乾燥厚で約１５〜１００μｍ程度塗工した後、乾燥したり、紫外線硬化型の場合は紫外線を照射して粘着層を設けたラベルを作ることができる。
【００６４】
本発明で用いる粉粒体は、食品、医薬品、漢方薬品、化粧品、飼料（魚粉、ヌカなど）、肥料などである。
【００６５】
本発明で用いる粉粒体食品の具体例としては、例えばブラックペパー、ホワイトペパー、ジンジャー、ナツメグ、メース、シナモン、コリアンダー、クミン、カルダモン、レッドペパー、マスタード、オールスパイス、クローブ、バジル、タイム、マジョラム、セージ、ターメリック、フェンネル、キャラウェイ、デイル、ガーリック、オニオン、サフラン、カレーパウダー、チリパウダーなどの香辛料が挙げられ、その他、かつお節、昆布粉、茶葉、抹茶、乾燥野菜類、穀類（原形粒および粉末を含む）、大豆粉末、コンニャク粉末、七色唐芥子など又はこれらの混合物が挙げられる。
【００６６】
その他本発明で用いる粉粒体として、医薬品、化粧品の原料としての漢薬系植物原料、具体的には例えばセンナ、センブリ、オウレン、オウバク、ゲンチアナ、ショウキョウ、ダイオウ、マオウ、シャクヤクなど、またオガクズ、フスマなどの混合培地からなるキノコ培地などの栽培原料などを挙げることができる。
【００６７】
この場合、粉粒体食品などは原形（ホール）のまま使用することも、これらの原料の粒度を例えば５００μｍ未満にして用いることもできる。例えば１５０〜４２０μｍであることが好ましい場合がある。なお、このような粒度の粉粒体を得るための方法としては、公知の粉砕方法から適宜選択することができる。例えば、スタンプミル、ピンミル、振動ミル、ロールミル粉砕法、凍結後粉砕法などが挙げられる。
【００６８】
上記実施の形態の説明は、本発明を説明するためのものであって、特許請求の範囲に記載の発明を限定し、或は範囲を減縮するものではない。又、本発明の各部構成は上記実施の形態に限らず、特許請求の範囲に記載の技術的範囲内で種々の変形が可能である。
【産業上の利用可能性】
【００６９】
本発明の詰め替え容器は、内部に粉粒体の収納部を形成するようプラスチック製シートの必要部をシールするとともに所定の位置に粉粒体排出口を突設し、そして外面の所定の位置に、必要事項が印刷された粘着／剥離可能なラベルが貼着された詰め替え容器において、前記ラベルは切断線を設けて前記切断線に沿って切断することにより、あるいは予め切断してある分割線を設けるなどして前記分割線に沿って剥離することにより第１ラベル部分と第２ラベル部分とに容易に分割でき、前記収納部に収納された粉粒体の必要量を前記粉粒体排出口を開口して他の容器に充填した後、前記第１ラベル部分を剥離して前記粉粒体排出口の閉塞のために使用し、そして前記第２ラベル部分を剥離し、必要事項を記入して前記他の容器の外面の所定の位置に貼着して使用できるようにしたので、
使用済みの他の容器に粉粒体を充填した後、粉粒体が未だ残っている詰め替え容器の注ぎ口を容易に閉塞でき、また粉粒体を充填した使用済みの他の容器に賞味期限、使用期限や粉粒体充填日などの必要事項を容易に記載することができ、その後の確実な管理をやり易くできる、という顕著な効果を奏するので、産業上の利用価値が高い。
【図面の簡単な説明】
【００７０】
【図１】本発明の詰め替え容器の１例を説明する説明図である。
【図２】（イ）、（ロ）は、図１に示した詰め替え容器の粉粒体排出口を開口して他の容器に充填した後、第１ラベル部分を剥離して粉粒体排出口の閉塞のために使用した例を示す説明図である。
【図３】（イ）、（ロ）、（ハ）は、図１に示した詰め替え容器の粉粒体排出口を開口して他の容器に充填した後、第１ラベル部分を剥離して用いて詰め替え容器の粉粒体排出口の閉塞を行い、第２ラベル部分を剥離し、必要事項を記入して他の容器の外面の所定の位置に貼着して使用した例を示す説明図である。
【図４】（イ）は、本発明の詰め替え容器の他の例を説明する説明図であり、（ロ）は本発明の詰め替え容器に用いるラベルの他の例を説明する説明図である。
【図５】（イ）、（ロ）、（ハ）、（ニ）は、本発明の詰め替え容器に用いるラベルの形状の他の例を説明する説明図である。
【図６】（イ）、（ロ）は、本発明で用いる粘着／剥離可能なラベルの層構成を示す断面説明図である。
【図７】（イ）、（ロ）は、本発明で用いる他のラベルの層構成を示す断面説明図である。
【図８】本発明の詰め替え容器の他の例を説明する説明図である。
【図９】（イ）は、本発明の詰め替え容器の他の例を説明する説明図であり、（ロ）は本発明の詰め替え容器に用いるラベルの他の例を説明する説明図である。
【図１０】本発明の詰め替え容器の他の例を説明する説明図である。
【図１１】本発明の詰め替え容器の他の例を説明する説明図である。
【符号の説明】
【００７１】
Ａ  粉粒体
１、１Ａ〜１Ｅ  詰め替え容器
１−１  側部
２  収納部
３  粉粒体排出部
４  シール部
４−１  端部
５、５Ａ〜５Ｈ、５Ｊ、５Ｋ、５Ｌ  ラベル
５−１  第１ラベル部分
５−２、５−４  第２ラベル部分
５−３  接着帯
６、６−１、６−２、６−３  切断線
７−１、７−２  端部
８  ノッチ
９  他の容器
１０  孔
１１  キャップ
１２  基材
１３  粘着層
１４  印刷層
１５  強接着層
２０  切り取り部
３０、３０−１、３０−２  分割線
【図１】
2006044798.tif 000003
【図２】
2006044798.tif 000004
【図３】
2006044798.tif 000005
【図４】
2006044798.tif 000006
【図５】
2006044798.tif 000007
【図６】
2006044798.tif 000008
【図７】
2006044798.tif 000009
【図８】
2006044798.tif 000010
【図９】
2006044798.tif 000011
【図１０】
2006044798.tif 000012
【図１１】
2006044798.tif 000013